(57)【要約】  本公開は、電気較正信号（５０）が形成され、その較正信号（５０）からラウドスピーカで音声信号（３）が形成され、その音声信号（３）の応答（９）が測定および分析され、測定結果に基づいてシステムが調整される較正方法および機器を説明している。本発明によれば較正信号（５０）は、ラウドスピーカ（１）でその較正信号が本質的に正弦波信号でありその較正信号の周波数が少なくとも実質上全音声周波数範囲を通して走査するように形成される。
2009531899.tif 000002
【特許請求の範囲】
【請求項１】
電気較正信号（５０）が形成され、
前記較正信号（５０）からラウドスピーカで音声信号（３）が形成され、
前記音声信号（３）の応答（９）が測定および分析され、
音声再生システムが測定結果に基づいて調整される
前記音声再生システムにおける較正方法であって、
前記較正信号（５０）が本質的に正弦波信号であり、前記較正信号（５０）の周波数が少なくとも実質上全音声周波数範囲を通して走査するように、前記較正信号（５０）が前記ラウドスピーカ（１）で形成されることを特徴とする
音声再生システムにおける較正方法。
【請求項２】
前記較正信号（５０）の走査速度が対数的であることを特徴とする請求項１に記載の方法。
【請求項３】
前記較正信号（５０）の前記走査が最低周波数から開始されることを特徴とする請求項１または２に記載の方法。
【請求項４】
知られていないサウンド・カードを較正するために使用されることを特徴とする請求項１乃至３のいずれか１項に記載の方法。
【請求項５】
前記サウンド・カード（７）の応答が、周波数応答を使用してモデル化されることを特徴とする請求項４に記載の方法。
【請求項６】
前記サウンド・カード（７）の増幅度を決定するために使用されることを特徴とする請求項１に記載の方法。
【請求項７】
前記ラウドスピーカ（１）の距離を決定するために使用されることを特徴とする請求項１に記載の方法。
【請求項８】
サブウーファおよびメイン・ラウドスピーカの位相をクロスオーバ周波数で同じに設定するために使用されることを特徴とする請求項１に記載の方法。
【請求項９】
リスニング・ルームで前記ラウドスピーカ（１）全ての応答を均一化、つまり較正するために使用されることを特徴とする請求項１に記載の方法。
【請求項１０】
ラウドスピーカ（１）と、
前記ラウドスピーカ（１）のための制御機器（２）と、
前記ラウドスピーカへの信号および制御接続（１３）と、
前記ラウドスピーカの応答を測定するためのマイクロフォン（４）と、
前記マイクロフォンから得られる信号（９）を分析し、前記分析結果に基づき前記信号（９）を設定するための分析および制御機器（１２、８、１８）とを備える
音声再生システムにおける較正機器であって、
前記ラウドスピーカ（１）が、較正信号が本質的に全音声周波数範囲を通して走査するように本質的に正弦波の電気的可変周波数較正信号（５０）を形成するための手段を備えることを特徴とする
音声再生システムにおける較正機器。
【請求項１１】
前記較正信号（５０）の走査速度が対数的であることを特徴とする請求項１０に記載の機器。
【請求項１２】
前記較正信号（５０）による前記走査が最低周波数から開始されることを特徴とする請求項１０または１１に記載の機器。
【請求項１３】
知られていないサウンド・カードの周波数応答を較正するために使用されることを特徴とする請求項１０乃至１２のいずれか１項に記載の機器。
【請求項１４】
前記サウンド・カード（７）の応答が、前記周波数応答を使用してモデル化されることを特徴とする請求項１３に記載の機器。
【請求項１５】
サウンド・カード（７）の増幅度を決定するために使用されることを特徴とする請求項１０に記載の機器。
【請求項１６】
前記ラウドスピーカの距離を決定するために使用されることを特徴とする請求項１０に記載の機器。
【請求項１７】
サブウーファおよびメイン・ラウドスピーカの位相をクロスオーバ周波数で同じに設定するために使用されることを特徴とする請求項１０に記載の機器。
【請求項１８】
リスニング・ルームで前記システムの前記ラウドスピーカ（１）全ての応答を均一化、つまり較正するために使用されることを特徴とする請求項１０に記載の機器。
【請求項１９】
前記ラウドスピーカがアクティブ・ラウドスピーカである、つまり増幅器を含むことを特徴とする請求項１０乃至１８のいずれか１項に記載の機器。
【請求項２０】
音を生成する要素（１６）と、
前記音生成要素（１６）を制御するための調整および制御装置（２）と、
前記ラウドスピーカ（１７）への信号および制御接続とを備える
ラウドスピーカ（１）であって、
前記較正信号が少なくとも実質的に全音声信号範囲にわたって走査するように本質的に正弦波の電気的可変周波数較正信号（５０）を形成するための手段（１５）を備えることを特徴とする
ラウドスピーカ。
【請求項２１】
アクティブ・ラウドスピーカであることを特徴とする請求項２０に記載のラウドスピーカ。
【請求項２２】
本質的に対数的である周波数走査を実行するための手段を備えることを特徴とする請求項２０または２１に記載のラウドスピーカ。
【請求項２３】
最低周波数から始まる周波数走査を実施するための手段を備えることを特徴とする請求項２０、２１、または２２に記載のラウドスピーカ。
【請求項２４】
制御ネットワーク（１３）を通して読み取ることができる明白なアイデンティティを有することを特徴とする請求項２０乃至２３のいずれか１項に記載のラウドスピーカ。
【請求項２５】
ラウドスピーカ・システムの設定データを含むコンピュータ可読のデータ構造。
【発明の詳細な説明】
【技術分野】
【０００１】
本発明は、請求項１のプリアンブルによる較正方法に関する。
【０００２】
本発明は、較正機器にも関する。
【背景技術】
【０００３】
従来技術で、テスト信号がラウドスピーカに供給される較正方法が知られている。テスト信号への応答は、測定システムを使用して測定され、システムの周波数応答はイコライザを使用してできるだけ平坦に調整される。
【０００４】
最先端技術の欠点は、測定の構成がむずかしく特別な機材を必要とすることである。較正の構成は、異なる傾聴空間に対して一般化することができず、信頼できる結果を得るには、非常に正確な計画ならびに測定システムの個々の部分を使用するための知識および技量も常に求められる。
【発明の開示】
【発明が解決しようとする課題】
【０００５】
本発明は、上記で開示した、最先端技術の欠陥を無くし、その目的に対して音響再生システムを較正するための完全に新しいタイプの方法および機器を作り出すものとする。
【課題を解決するための手段】
【０００６】
本発明は、制御ネットワークを活用してコンピュータの周辺に構築された較正システムに接続されている音響再生機材に基づいている。
【０００７】
本発明の好ましい第１の実施形態を活用して、コンピュータのサウンド・カードの周波数応答は、サウンド・カード外部のジェネレータを使用して較正することができるが、そのサウンド・カードは、そのサウンド・カードがその中にあるコンピュータによって制御される。
【０００８】
本発明の第２の好ましい実施形態によって、サウンド・カードの増幅度は、テスト信号の電圧設定を使用して較正される。
【０００９】
本発明の第３の好ましい実施形態によって、アクティブ・ラウドスピーカは、対数走査正弦テスト信号を作り出すのに使用できる信号ジェネレータを備える。
【００１０】
本発明の第４の好ましい実施形態によって、測定信号のレベルは、可能な最大限の信号対雑音比の達成を目的として調整される。
【００１１】
本発明の第５の好ましい実施形態によって、メイン・ラウドスピーカおよびサブウーファの位相は、アクティブ・サブウーファ・ラウドスピーカに組み込まれたサイン・ジェネレータを活用してクロスオーバ周波数で同じにセットされる。
【００１２】
本発明の第６の好ましい実施形態によって、相互レベルの相違およびラウドスピーカ・システムでのラウドスピーカのタイム・オブ・フライト遅れを無くすために、対数正弦波信号を使用して聴取位置（マイクロフォンの位置）でのラウドスピーカの周波数応答を均一にする。
【００１３】
より具体的には、本発明による方法は請求項１の特徴部分に記載する内容によって特徴付けられている。
【００１４】
本発明による機器は、次に、請求項１０の特徴部分に記載する内容によって特徴付けられている。
【００１５】
本発明を活用して相当の利点が得られる。
【００１６】
本発明による方法を活用し、任意の如何なるサウンド・カードでもサウンド・カードがあるコンピュータは、任意の如何なるものであっても経済的なマイクロフォンを活用して音響再生システムを較正するのに使用することができる。
【００１７】
本発明を実行するソフトウェアはコンピュータの最もありふれたオペレーティング・システム全てにインストールすることができる。
【００１８】
本発明の第１の好ましい実施形態によって、サウンド・カードの応答は、ＦＦＴを使用して例えばＨ＝ＦＦＴ（ｙ）／ＦＦＴ（ｘ）として計算することができることを構想することが可能である。ここで、Ｈは周波数応答、ｘは知られている生成された信号、およびｙはサウンド・カードによって記録された音響応答である。しかし、これは、生成された信号のスペクトルが連続でない限り（全周波数でのエネルギが調べられる）結果を生ずることはない。そうでないと入力信号のエネルギ含量が０の（または非常に少ない）それら周波数では周波数応答は計算することができない（信号ｘおよびｙは０値を受け、その場合商Ｈはこの周波数では存在しなくなる）からであり、したがってこの方法は一般的な解決方法として使用することができない。
【００１９】
本発明による方法は、コンピュータの任意の如何なるサウンド・カードでも動作するので、サウンド・カードの周波数応答は互いに異なっている可能性がある。
【００２０】
本発明によるモデリングを使用して行われる測定がこの問題を無くす。
【００２１】
サウンド・カードの周波数応答の欠陥を無くすための知られている方法は、例えばサウンド・カードが信号を生成しそれ自体を記録するループバック測定である。この方法では、サウンド・カードの出力の応答は入力の応答と区別することができない。本発明による方法では出力だけが測定され、その場合入力はそれ自体によって均一にすることができる。
【００２２】
本方法によって生成される構造は、測定に必要なパルスが例えばマイクロ・コントローラのＩＯラインで生成され、そのマイクロ・コントローラによって生成された電圧はマイクロフォン信号で合計されるので実装が非常に簡単である。
【００２３】
この方法はマイクロフォン増幅器内に組み込むことができ、それによって較正はオペレータに対して透過的に（オペレータがそれと知らずに）、かつ音響測定が記録されるのと同時に実施することもできる。
【００２４】
本発明の第２の好ましい実施形態によって、コンピュータのオペレーティング・システムによって引き起こされる未知で変化する遅れを無くすことができる。コンピュータのサウンド・カードの出力の感度（電圧によるディジタル・ワードのサイズ）を計算することができる。
【００２５】
本発明の第３の好ましい実施形態によれば、テスト信号は、コンピュータからラウドスピーカに供給されるのではなくラウドスピーカ内で生ずるので、テスト信号が音響応答に加えて他の歪または変化を創出することはない。
【００２６】
測定マイクロフォンおよびコンピュータ・サウンド・カードの入力の周波数応答だけが音響伝達経路に加えて測定信号に影響を与える。
【００２７】
測定信号は組み込まれているので常時使用可能である。
【００２８】
測定信号の波高率は小さいので良好な信号対雑音比を生成する。
【００２９】
第４の好ましい実施形態によって、下記の利点が達成される。
【００３０】
マイクロフォンの距離は大きく変化することができるので、測定信号によって生成される音響応答の大きさは非常に広い限度内で変化することができる。
【００３１】
環境によって生成される雑音は同じようには変化せず、（各部屋で）比較的一定にとどまる。
【００３２】
マイクロフォンがラウドスピーカに非常に近い場合には記録される信号が大きすぎることもあり、その場合信号はコンピュータのサウンド・カードでピーク・リミット処理される。
【００３３】
マイクロフォンが非常に離れている場合、信号は環境雑音に対して小さすぎ、その場合には信号対雑音比は貧弱のままである。
【００３４】
レベル設定を活用して有利な信号対雑音比を常に確保することができる。
【００３５】
測定信号のピーク・リミット処理は信号のレベルを少なくすることによって避けることができる。信号対雑音比は信号のレベルを上げることによって向上させることができる。
【００３６】
レベルの設定はコンピュータの制御に常時知らされ、計算に際して考慮に入れることができる。
【００３７】
本発明の第５の実施形態を活用して下記の利点が達成される。
【００３８】
ラウドスピーカがどこに配置されているかに関係なく（距離が音声レベルに、配置が位相に影響を与える）正しい位相設定が見出される。
【００３９】
測定は現状に対応する（サブウーファおよびメイン・ラウドスピーカは同時に作動し、同じ音声信号を繰り返す）。
【００４０】
本発明の第６の好ましい実施形態によって、全ラウドスピーカ・システムの全てのラウドスピーカは、同一のルーム・レスポンスを伴って、相互に適切なレベルに、仮想距離におかれる。
【００４１】
下記で例を活用して本発明を添付図面を参照して検討する。
【００４２】
本発明では下記の用語が使用される。
１  ラウドスピーカ
２  ラウドスピーカ制御ユニット
３  音響信号
４  マイクロフォン
５  プリアンプ
６  アナログ加算器
７  サウンド・カード
８  コンピュータ
９  測定信号
１０  テスト信号
１１  ＵＳＢリンク
１２  制御ネットワーク・コントローラ
１３  制御ネットワーク
１４  ＩＯライン
１５  信号ジェネレータ
１６  ラウドスピーカ要素
１８  インターフェース装置
５０  較正信号
【発明を実施するための最良の形態】
【００４３】
図１は機器全体を示し、ラウドスピーカ１は制御ネットワーク１３を通し、インターフェース装置１８を用いてコンピュータ８に接続されている。
【００４４】
インターフェース装置１８は、図２によれば制御ネットワーク・コントローラ１２、プリアンプ５、および制御ネットワーク・コントローラから来るＩＯライン１５（そのＩＯラインを通してテスト信号１０が加算器へ伝送される）が接続されているアナログ加算器６を含む。
【００４５】
図２は図１と同じ機能を含むが、簡明さのためにラウドスピーカ１は１つだけが示されている。
【００４６】
図２は本発明の機器全体を示し、ラウドスピーカ１が音響信号３を生成する。テスト目的で音響信号３が、ラウドスピーカ自身の制御ユニット２のジェネレータ１５によって形成される電気較正信号から作り出される。制御ユニット２は一般的に増幅器を含み、したがってラウドスピーカ１をアクティブ・ラウドスピーカとしている。テスト信号は、図６でとりわけグラフに示されているような正弦走査信号であることが好ましい。較正信号５０（図５）の周波数は、人の可聴範囲にわたって走査されるが、好ましくは走査が最低周波数から始まり周波数が対数的な速度でより高い周波数に向かって増加するような方法で行われる。較正信号５０の生成は制御バス１３を通してラウドスピーカ１の制御ユニット２にもたらされる信号によって開始される。音響信号３はマイクロフォン４で受けられプリアンプ５によって増幅される。プリアンプ５から来る信号は、アナログ加算器６で一般的に方形波であるテスト信号１０と組み合わされる。アナログ加算器６は一般的に演算増幅器を使用して実装される回路である。テスト信号１０は、制御ネットワークの制御ユニット１２から得られる。実際にはテスト信号は、制御ネットワークの制御ユニットのマイクロプロセッサのＩＯライン１４から直接得ることができる。
【００４７】
したがって、本発明により音響測定信号３は制御バス１３を通して遠隔制御によって開始することができる。マイクロフォン４は音響信号３を受け、それとテスト信号１０が加算される。図２によると、コンピュータ８のサウンド・カード７はサウンド信号を受け、そのサウンド信号には当初テスト信号があり、次いで特定の時間（音響のタイム・オブ・フライト）の後には音響信号の応答９がある。
【００４８】
図３は、上記の方法によってコンピュータのサウンド・カード７で生成される信号を示す。時間ｔ１は、コンピュータのオペレーティング・システムによって引き起こされる不規則に変化する時間である。音響応答９開始迄の時間ｔ２は、主に音響遅れ（移動時間）に基づいて決められ不規則な変化は現れない。音響応答９は、ラウドスピーカ室システムの対数正弦走査に対する応答であり、その周波数は増加してゆく。
【００４９】
本発明の第１の好ましい実施形態では、知られていないサウンド・カードの周波数応答が較正されるがその手順は下記の通りである。パルス形状が、コンピュータ８のサウンド・カード７および好ましくはコンピュータのＵＳＢバス１１に接続されている制御ネットワークのコントローラ１２によって生成される。コンピュータによって実行させられるプログラムの制御の下に制御ネットワーク・コントローラがテスト信号１０を生成する。コンピュータ８のサウンド・カード７の入力のテスト信号に対する応答として発生するパルスの形状を受け取って記録するためにサウンド・カード７が使用される。
【００５０】
ディジタルＩＯライン１４によって生成されるパルス波１０（２つの値がある：０および１つの値に対応する電圧）は入力パルスとして使用することができる。
【００５１】
入力パルス１０はマイクロフォン信号と（アナログ的に）加算することができる。
【００５２】
サウンド・カードに記録されたテスト信号１０は、サウンド・カードによってもたらされるフィルタリングによってその形状を変える。サウンド・カードの周波数応答は帯域周波数応答であり、ハイパス特性（低周波で）およびローパス特性（高周波で）を含むことが知られている。テスト信号の原形１０はコンピュータに知られている。その中でテスト信号の原形がサウンド・カードのフィルタリング特性を示すフィルタを通って移動するモデルが、記録されたテスト信号１０に適用される。ある好ましい実装形態では、フィルタの伝達関数のパラメータは、適応方法を使用する最適化を活用して選択されるが、このモデルによって生成されたフィルタ後のテスト信号１０がその形状においてできるだけ正確にサウンド・カードに記録された本当のテスト信号に対応するように選択される。フィルタリングによってもたらされる周波数応答Ｈ（ｂ，ａ）（ｂおよびａは、周波数応答モデルのパラメータである）が次いで定められる。
【００５３】
このように定められた周波数応答を使用してイコライザが形成され、そのイコライザを活用して周波数応答Ｈは、人の可聴範囲に対応する周波数と等しくすることができる。このようにして定められた等価値は、後に音響応答が測定されるときに使用される。測定された音響応答がこの等価値を使用して修正されるとき、サウンド・カードがもたらすフィルタリングは人の可聴範囲内の周波数で修正される。
【００５４】
構造を選択し、モデル化される伝達関数の程度を決めて測定の精度および速度に影響を与えることができる。
【００５５】
本発明の第２の好ましい実施形態によれば、ＩＯライン１４によって生成されるテスト信号１５の電圧はある特定の値に設定される。
【００５６】
この方法では、知られているテスト信号１０の発生は、ラウドスピーカによって生成される較正信号５０を開始させる命令（対数正弦走査）の部分として組み込まれている。
【００５７】
コンピュータ８は３つの部分から成る信号を記録する。第１はテスト信号１０であり、それがおさまった後は、マイクロフォンに３番目に到達する、ラウドスピーカによって生成される音響信号３であり、その信号は応答９として記録される。下記が記録された情報から読み取ることができる：
テスト信号の電圧を活用して、コンピュータに記録されているディジタル・ワードの大きさを電圧で測定することができる。（これは、パルスの電圧による高さは事前に知ることができ、パルスのディジタル表現の大きさは記憶された信号から調べることができるからである。）
テスト信号１０の開始と音響応答９の開始の間の時間ｔ２は、ラウドスピーカ１の測定マイクロフォン４からの距離を表し、この情報を使用してラウドスピーカ１（全音声バンドを再生する）の測定点からの距離を計算することが可能である。これが生じるのは、テスト信号の開始（図３で時間ｔ２の開始）からサウンド・カード７によって記録され、計算を開始する前にその中のテスト信号１０を０に設定する信号を含むある信号をＦＦＴ計算のための初期データとして取ることによってであり最も有利である。
【００５８】
テスト信号を発生させる命令はコンピュータ８から来る。しかし実際には、その後から命令が発せられる遅れ（図３、ｔ１）は、オペレーティング・システム（Ｗｉｎｄｏｗｓ(登録商標)、Ｍａｃ  ＯＳ  Ｘ）と関係なく変化することが観察されよう。この遅れは不規則で予測することができない。一度命令が発せられると、命令およびテスト信号は１つに、かつ同じ機能にリンクされるのでテスト信号の発生から測定信号（つまり較正信号）の発生の開始までの間に知られた一定の時間が常に存在する。これに加えてラウドスピーカと測定マイクロフォンの間の距離だけによって影響される、音響的に記録される測定信号を開始するまでの時間がある。
【００５９】
本発明の第３の好ましい実施形態によれば、事前に正確に知られている較正信号５０を生成するジェネレータ１５がラウドスピーカ１内に組み込まれる。
【００６０】
ジェネレータ１５によって生成される較正信号は正弦走査であり、その周波数走査の速度は、その時点の周波数の対数が時間に比例し、ｌｏｇ（ｆ）＝ｋｔとなるように増加する。ここで、ｆは信号の瞬時周波数、ｋは速度を定める定数、ｔは時間である。周波数の増加は時間の経過とともに加速する。
【００６１】
テスト信号は、数学的に正確に定められるので、それはラウドスピーカ１によって生成されるテスト信号に関係なくコンピュータ内で精確に再生することができる。
【００６２】
そのような測定信号は、全ての周波数を含むが、ピーク・レベルがＲＭＳレベルに非常に近いので信号の波高率（ピーク・レベルのＲＭＳレベルに対する関係）は非常に有利であり、したがって信号は測定において非常に優れた信号対雑音比を生成する。
【００６３】
信号５０（図５）は低周波数から動き始めその周波数が増加するので、低周波数では高周波数の場合より通常は長い反響時間を伴う部屋では信号は有利に動作する。
【００６４】
較正信号５０の発生は遠隔制御を通して与えられる命令を使用して開始することができる。
【００６５】
本発明の第４の好ましい実施形態によって、ラウドスピーカで生成される較正信号５０の大きさは制御ネットワーク１３を通して変更することができる。
【００６６】
較正信号５０は記録される。較正信号に対する較正信号５０の音響応答９の大きさが測定される。音響応答９が小さすぎる場合、その較正信号５０のレベルが増やされる。音響応答９がピーク・リミット処理される場合には、較正信号５０のレベルが減ぜられる。
【００６７】
測定は、最適な信号対雑音比および音響信号９のレベルが見出されるまで繰り返される。
【００６８】
レベルの設定は各ラウドスピーカに対して別々に実施することができる。
【００６９】
レベルが変更された程度はコンピュータ８で制御され、したがって知られているため、結果を計算するときにこの情報を考慮に入れることができ、それによってレベルに対して正確な尺度をもつ信頼性の高い測定結果が距離に関係なく得られる。
【００７０】
本発明の第５の好ましい実施形態によって、サブウーファで内部正弦ジェネレータが使用される。サブウーファの位相はコンピュータから制御ネットワーク１３を通して調整され、音響信号がマイクロフォンを使用して測定される。
【００７１】
サブウーファおよびメイン・ラウドスピーカをクロスオーバ周波数で同じ位相に設定するには２つの段階がある。
段階１：サブウーファおよび基準ラウドスピーカのレベルは、１つまたは両方のレベルを別々に測定し、各ラウドスピーカによって生成されるレベルを設定することによって同じに設定される。
段階２：両方のラウドスピーカは、サブウーファが生成する同じ正弦波信号を繰り返す。
共通の音声レベルはマイクロフォンで測定される。
位相が調整され、音声レベルが最低になる位相設定が探られる。ラウドスピーカおよびサブウーファは次いで反対位相になる。
サブウーファは、これと１８０度の関係にある位相設定に変えられ、それによってラウドスピーカとサブウーファは同じ位相になり、したがって正しい位相設定が見出されたこととなる。
【００７２】
本発明の第６の好ましい実施形態によって、システムの全ラウドスピーカ１の音響インパルス応答が、上記の方法を使用して測定される。そのような較正が図３に示されている。
【００７３】
周波数応答は各インパルス応答から計算される。
【００７４】
ラウドスピーカの距離は各インパルス応答から計算される。
【００７５】
周波数応答に基づいて、室内で所望の周波数応答を達成することになるイコライザ・フィルタの設定（平坦周波数応答）が計画される。
【００７６】
均一化された応答によって生成された（相対的）音声レベルが計算される。
【００７７】
各ラウドスピーカに対する遅れが設定され、全ラウドスピーカの測定された応答はこの設定を用いて同じ量の遅れを含む（ラウドスピーカは見かけ上同じ距離にある）ことになる。
【００７８】
レベルが各ラウドスピーカに対して設定され、そのレベルでラウドスピーカは測定点で見かけ上同じ音声レベルを生成する。各ラウドスピーカのレベルは周波数応答から、周波数のある一点でまたはより広い周波数範囲で測定することができ、そのより広い周波数範囲における平均レベルは平均値、ＲＭＳ値、または中央値を使用して計算することができる。さらにその平均値を計算する前に音声レベルには異なる周波数で異なる重み係数を与えることができる。周波数範囲および重み係数は、異なるラウドスピーカおよびサブウーファからこのようにして計算された音声レベルが主観的にできるだけ同等になるように選択することができる。好ましい実装形態では平均レベルは、周波数帯５００Ｈｚ〜１０ｋＨｚからＲＭＳ値を用いて全周波数が同じ重み係数を有するように計算される。
【００７９】
１つまたは複数のサブウーファ位相が次いで上記のように調整される。
【００８０】
本適用例では音声という用語は周波数範囲１０Ｈｚ〜２０ｋＨｚを表す。
【００８１】
本発明の好ましい１つの実施形態では、システムの本質的なデータは全て１つのファイルまたはラウドスピーカのアイデンティティによる情報に基づくシステム・セットアップ・ファイルに記録される。各ラウドスピーカは、システム・セットアップ・ファイルでデータ管理に使用される明白なアイデンティティを有することが好ましい。このアイデンティティはラウドスピーカ１の製造段階で形成されることが好ましい。データ・システム８はラウドスピーカの設定を積極的にアップデートする。全ラウドスピーカ・システムの特性はファイルを開くことによって表示され、かつこのファイルまたはシステム・セットアップ・ファイルを通してアップデートすることもできる。
【００８２】
ある好ましい実装形態では、上記の段階は下記の順序で実行される：
全ラウドスピーカの音響応答がコンピュータのサウンド・カードを活用して記録される、
各応答からラウドスピーカのインパルス応答が計算される、
音の移動時間が各インパルス応答から測定され、ラウドスピーカの距離がそれに基づいて計算される、
各ラウドスピーカの距離に基づいて、そのラウドスピーカから来る音の移動時間を他方のラウドスピーカからの音の移動時間と同じにするのに追加される遅れが計算される、
各インパルス応答から周波数応答が計算される、
周波数応答に基づいてラウドスピーカのレベルが計算される、
各ラウドスピーカに対する補正（そのラウドスピーカのレベルを他方のラウドスピーカのものと同じにする）が計算される。
【図面の簡単な説明】
【００８３】
【図１】本発明による方法に対して適切である１システムのブロック図である。
【図２】本発明による第２の較正回路を示す図である。
【図３】コンピュータのサウンド・カードが記録する本発明による信号をグラフで示した図である。
【図４】本発明による較正構成で一般的に測定される信号をグラフで示した図である。
【図５】ラウドスピーカによって生成されるテスト信号をグラフで示した図である。
【図１】
2009531899.tif 000003
【図２】
2009531899.tif 000004
【図３】
2009531899.tif 000005
【図４】
2009531899.tif 000006
【図５】
2009531899.tif 000007
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
電気較正信号（５０）が形成され、
前記較正信号（５０）からラウドスピーカで音声信号（３）が形成され、
前記音声信号（３）の応答（９）が前記ラウドスピーカ（１）外で測定および分析され、
音声再生システムが測定結果に基づいて調整される
前記音声再生システムにおける較正方法であって、
前記較正信号（５０）が本質的に正弦波信号であり、前記較正信号（５０）の周波数が少なくとも実質上全音声周波数範囲を通して走査するように、前記較正信号（５０）が前記ラウドスピーカ（１）で形成されることを特徴とする
音声再生システムにおける較正方法。
【請求項２】
前記較正信号（５０）の走査速度が対数的であることを特徴とする請求項１に記載の方法。
【請求項３】
前記較正信号（５０）の前記走査が最低周波数から開始されることを特徴とする請求項１または２に記載の方法。
【請求項４】
知られていないサウンド・カードを較正するために使用されることを特徴とする請求項１乃至３のいずれか１項に記載の方法。
【請求項５】
前記サウンド・カード（７）の応答が、周波数応答を使用してモデル化されることを特徴とする請求項４に記載の方法。
【請求項６】
前記サウンド・カード（７）の増幅度を決定するために使用されることを特徴とする請求項１に記載の方法。
【請求項７】
前記ラウドスピーカ（１）の距離を決定するために使用されることを特徴とする請求項１に記載の方法。
【請求項８】
サブウーファおよびメイン・ラウドスピーカの位相をクロスオーバ周波数で同じに設定するために使用されることを特徴とする請求項１に記載の方法。
【請求項９】
リスニング・ルームで前記ラウドスピーカ（１）全ての応答を均一化、つまり較正するために使用されることを特徴とする請求項１に記載の方法。
【請求項１０】
ラウドスピーカ（１）と、
前記ラウドスピーカ（１）のための制御機器（２）と、
前記ラウドスピーカへの信号および制御接続（１３）と、
前記ラウドスピーカの応答を測定するためのマイクロフォン（４）と、
前記マイクロフォンから得られる信号（９）を分析し、前記分析結果に基づき前記信号（９）を設定するための、前記ラウドスピーカ外の分析および制御機器（１２、８、１８）とを備える
音声再生システムにおける較正機器であって、
前記ラウドスピーカ（１）が、較正信号が本質的に全音声周波数範囲を通して走査するように本質的に正弦波の電気的可変周波数較正信号（５０）を形成するための手段を備えることを特徴とする
音声再生システムにおける較正機器。
【請求項１１】
前記較正信号（５０）の走査速度が対数的であることを特徴とする請求項１０に記載の機器。
【請求項１２】
前記較正信号（５０）による前記走査が最低周波数から開始されることを特徴とする請求項１０または１１に記載の機器。
【請求項１３】
知られていないサウンド・カードの周波数応答を較正するために使用されることを特徴とする請求項１０乃至１２のいずれか１項に記載の機器。
【請求項１４】
前記サウンド・カード（７）の応答が、前記周波数応答を使用してモデル化されることを特徴とする請求項１３に記載の機器。
【請求項１５】
サウンド・カード（７）の増幅度を決定するために使用されることを特徴とする請求項１０に記載の機器。
【請求項１６】
前記ラウドスピーカの距離を決定するために使用されることを特徴とする請求項１０に記載の機器。
【請求項１７】
サブウーファおよびメイン・ラウドスピーカの位相をクロスオーバ周波数で同じに設定するために使用されることを特徴とする請求項１０に記載の機器。
【請求項１８】
リスニング・ルームで前記システムの前記ラウドスピーカ（１）全ての応答を均一化、つまり較正するために使用されることを特徴とする請求項１０に記載の機器。
【請求項１９】
前記ラウドスピーカがアクティブ・ラウドスピーカである、つまり増幅器を含むことを特徴とする請求項１０乃至１８のいずれか１項に記載の機器。
【請求項２０】
音を生成する要素（１６）と、
前記音生成要素（１６）を制御するための調整および制御装置（２）と、
前記ラウドスピーカ（１７）への信号および制御接続とを備える
ラウドスピーカ（１）であって、
前記較正信号が少なくとも実質的に全音声信号範囲にわたって走査するように本質的に正弦波の電気的可変周波数較正信号（５０）を形成するための手段（１５）を備えることを特徴とする
ラウドスピーカ。
【請求項２１】
アクティブ・ラウドスピーカであることを特徴とする請求項２０に記載のラウドスピーカ。
【請求項２２】
本質的に対数的である周波数走査を実行するための手段を備えることを特徴とする請求項２０または２１に記載のラウドスピーカ。
【請求項２３】
最低周波数から始まる周波数走査を実施するための手段を備えることを特徴とする請求項２０、２１、または２２に記載のラウドスピーカ。
【請求項２４】
制御ネットワーク（１３）を通して読み取ることができる明白なアイデンティティを有することを特徴とする請求項２０乃至２３のいずれか１項に記載のラウドスピーカ。
【請求項２５】
ラウドスピーカ・システムの設定データを含むコンピュータ可読のデータ構造。
【国際調査報告】
2009531899.tif 000008
2009531899.tif 000009
2009531899.tif 000010
2009531899.tif 000011
2009531899.tif 000012